(57)【要約】      （修正有）【課題】コイルスプリングの側面を覆うカバーの蛇腹状の構造を改良して金型間の隙間調整管理を容易にし、金型を安価に製作することができるとともに、埃などが積もるのも少なくて外観的にも美しく、振動を吸収するコイルスプリングの伸縮機能を長期に亘って維持することができて故障の少ない防振架台用防振具を提供する。【解決手段】振動発生源の下方に設置されて振動発生源の振動を低減する防振架台に用いられ、振動を吸収する防振具１おいて、上下に伸縮可能に設置されたコイルスプリング２と、このコイルスプリング２の少なくとも側面を覆う弾性体からなる弾性体カバー５と、を備える。また、弾性体カバー５は、円筒状のカバー本体部５０と、カバー本体部５０と一体成形されてカバー本体部５０より肉厚が薄い変形部５１と、を有し、この変形部５１が弾性変形することでコイルスプリング２の伸縮に追随可能とする。【選択図】図６
0003172074.tif 000002
【実用新案登録請求の範囲】
【請求項１】
振動発生源の下方に設置されて該振動発生源の振動を低減する防振架台に用いられ、振動を吸収する防振具において、
上下に伸縮可能に設置されたコイルスプリングと、このコイルスプリングの少なくとも側面を覆う弾性体からなる弾性体カバーと、を備え、
前記弾性体カバーは、円筒状のカバー本体部と、該カバー本体部と一体成形されてカバー本体部より肉厚が薄い変形部と、を有し、この変形部が弾性変形することで前記コイルスプリングの伸縮に追随可能となっていることを特徴とする防振架台用防振具。
【請求項２】
前記カバー本体部は、前記変形部より上方に配設されているとともに、少なくともカバー本体部と変形部との接続部分では、カバー本体部の方が変形部より外側に形成されている請求項１に記載の防振架台用防振具。
【請求項３】
前記変形部の前記カバー本体部と接続する上端部分が、斜め上方内側に折り返されている請求項２に記載の防振架台用防振具。
【請求項４】
前記カバー本体部には、外周が下方に行くに従って拡径するテーパ部を有する請求項２又は３に記載の防振架台用防振具。
【考案の詳細な説明】
【技術分野】
【０００１】
この考案は、コンクリートや鉄骨などからなる基礎と、機械装置などの振動発生源との間に設置され、振動発生源からの振動が基礎を通じて周囲に伝達されることを防止する防振架台に関し、詳しくは、このような防振架台に取り付けられて振動を吸収する防振具に関するものである。
【背景技術】
【０００２】
従来のこの種の防振具として、特許文献１に示すような吸振体が知られている。この特許文献１に記載されている吸振体は、荷重に対抗するとともに振動を吸収する圧縮コイルばねと、前記圧縮コイルばねの下部に取り付けられる下部ケースと、前記圧縮コイルばねの上部に取り付けられ、前記圧縮コイルばねの上面および側面を覆う上部ケースと、前記圧縮コイルばねに接触する粘弾性片を有するサージング防止部材とで構成された吸振体であって、前記上部ケースが耐候性を有する熱可塑性エラストマで形成されており、その下端部が前記下部ケースに係止して前記圧縮コイルばねの上面から側面までが密閉されていることを特徴とする。
【０００３】
この吸振体によれば、上部ケースが熱可塑性エラストマで形成されているので、その下端部を下部ケースに係止したとしても、上部ケースに与えられた振動が下部ケースに伝達される心配はない。また、上部ケースの下端部が下部ケースに係止して圧縮コイルばねの上面から側面までが密閉されているので、吸振体の内部に収納した圧縮コイルばねやサージング防止部材が風雨や紫外線に晒されることはなく、これらの部材が風雨や紫外線によって劣化するのを防止することができる。そのため、吸振体の耐久性を向上させることができ、屋外で長期間使用する場合でも長期に亘って防振特性を維持することができる効果を奏するとされる。
【０００４】
ところで、前記のような吸振体は、上部ケースの側面などの圧縮コイルばねの側面を覆うカバー部分が、多数の凹凸を有し、圧縮コイルばねの伸縮に応じて伸び縮みする蛇腹状の構造となっているため、金型成形の際に内外の金型間の隙間の調整管理や材料を満遍なく注入することが難しく、製作に困難を伴うとともに、金型自体の費用も嵩むという問題があった。そのうえ、前記カバー部分（上部ケースの側面）には、多数段に亘る凹凸が形成されているため、水平方向に張り出した凸部の上に埃が積もったり、凹部に小石などの異物が挟まったりし易く、上部ケースの伸縮機能が次第に損なわれて収容されている圧縮コイルばねの伸縮に影響を与えて故障の原因となるとともに、外観的にも美観を害するという問題もあった。
【先行技術文献】
【特許文献】
【０００５】
【特許文献１】特開２００６−２００７３４号公報
【考案の概要】
【考案が解決しようとする課題】
【０００６】
そこでこの考案は、前記のような従来の問題に鑑みて創案されたものであり、コイルスプリング（圧縮コイルばね）の側面を覆うカバーの蛇腹状の構造を改良して金型間の隙間調整管理を容易にし、金型を安価に製作することができるとともに、埃などが積もるのも少なくて外観的にも美しく、振動を吸収するコイルスプリングの伸縮機能を長期に亘って維持することができて故障の少ない防振架台用防振具を提供することを目的とする。
【課題を解決するための手段】
【０００７】
前記目的を達成するために、請求項１に記載の考案は、振動発生源の下方に設置されて該振動発生源の振動を低減する防振架台に用いられ、振動を吸収する防振具において、上下に伸縮可能に設置されたコイルスプリングと、このコイルスプリングの少なくとも側面を覆う弾性体からなる弾性体カバーと、を備え、前記弾性体カバーは、円筒状のカバー本体部と、該カバー本体部と一体成形されてカバー本体部より肉厚が薄い変形部と、を有し、この変形部が弾性変形することで前記コイルスプリングの伸縮に追随可能となっていることを特徴とする。
【０００８】
請求項２に記載の考案は、請求項１に記載の防振架台用防振具において、前記カバー本体部は、前記変形部より上方に配設されているとともに、少なくともカバー本体部と変形部との接続部分では、カバー本体部の方が変形部より外側に形成されている。
【０００９】
請求項３に記載の考案は、請求項２に記載の防振架台用防振具において、前記変形部の前記カバー本体部と接続する上端部分が、斜め上方内側に折り返されている。
【００１０】
請求項４に記載の考案は、請求項２又は３に記載の防振架台用防振具において、前記カバー本体部には、外周が下方に行くに従って拡径するテーパ部を有する。
【考案の効果】
【００１１】
この考案は、前記のようであって、請求項１に記載の考案によれば、振動発生源の下方に設置されて該振動発生源の振動を低減する防振架台に用いられ、振動を吸収する防振具において、上下に伸縮可能に設置されたコイルスプリングと、このコイルスプリングの少なくとも側面を覆う弾性体からなる弾性体カバーと、を備え、前記弾性体カバーは、円筒状のカバー本体部と、該カバー本体部と一体成形されてカバー本体部より肉厚が薄い変形部と、を有し、この変形部が弾性変形することで前記コイルスプリングの伸縮に追随可能となっているので、従来の複数段に亘る凹凸を有するカバーと比べて、弾性体カバーを作製する金型の隙間調整や材料注入の管理が容易となり、金型を安価に製作することができるとともに、凹凸部分が少ないため、埃や小石などの異物が積もったり挟まったりするおそれが少なく、外観的にも美しく、かつ、振動を吸収するコイルスプリングの伸縮機能を長期に亘って維持することができて故障が少ない防振具を得ることができる。
【００１２】
請求項２に記載の考案によれば、請求項１に記載の防振架台用防振具において、前記カバー本体部は、前記変形部より上方に配設されているとともに、少なくともカバー本体部と変形部との接続部分では、カバー本体部の方が変形部より外側に形成されているので、前記作用効果に加え、変形部に埃や小石などの異物が積もったり挟まったりするおそれが更に少なくなり、コイルスプリングの伸縮機能を長期に亘って維持することができて故障が少ない防振具を得ることができる。
【００１３】
請求項３に記載の考案によれば、請求項２に記載の防振架台用防振具において、前記変形部の前記カバー本体部と接続する上端部分が、斜め上方内側に折り返されているので、前記作用効果に加え、変形部が弾性変形する際に、折り返しからカバー本体部の内面に沿って弾性変形するため、コイルスプリングの伸縮動作に干渉するおそれが少なく、より故障が少なくなる。
【００１４】
請求項４に記載の考案によれば、請求項２又は３に記載の防振架台用防振具において、前記カバー本体部には、外周が下方に行くに従って拡径するテーパ部を有するので、前記作用効果に加え、埃が積もるおそれがより少なくなり、外観上も見栄えがよくなる。
【図面の簡単な説明】
【００１５】
【図１】この考案の一実施の形態に係る防振具を備えた防振架台を示す側面図である。
【図２】実施の形態に係る防振具の正面図である。
【図３】同上の防振具の平面図である。
【図４】同上の防振具の側面図である。
【図５】同上の防振具の図３のＡ−Ａ線に沿う断面図である。
【図６】図５の防振具が圧縮された状態を示す断面図である。
【考案を実施するための形態】
【００１６】
この考案の一実施の形態に係る防振具、及びその防振具を備えた防振架台を、添付した図面を参照しながら詳細に説明する。
【００１７】
先ず、図１を用いて、防振架台について説明する。
図１に示す符号Ｇが、防振架台であり、この防振架台Ｇは、振動発生源である振動機器Ａに取り付けられる上枠Ｇ１と、コンクリート製の基礎Ｂに取り付けられる下枠Ｇ２と、これらが所定間隔以上離間しないように緊結する緊結部材Ｇ３と、上枠Ｇ１と下枠Ｇ２との間に介装されて振動機器Ａの振動を吸収する本考案の実施の形態に係る複数の防振具１などから主に構成され、振動機器Ａと基礎Ｂとの間に設置されて、振動機器Ａの荷重を支えるとともに、振動機器Ａからの振動が基礎Ｂを通じて周囲に伝達されることを防止する機能を有している。
【００１８】
上枠Ｇ１及び下枠Ｇ２は、鉛直断面が横長の矩形状の棒材からなり、上枠Ｇ１は、平面視で四角形に組まれ、下枠Ｇ２は、平面視で左右一対のコの字状に組まれるとともに、その長手方向が鉛基礎Ｂの長手方向に沿うように取り付けられており、上枠Ｇ１及び下枠Ｇ２は、上枠Ｇ１の四隅付近で緊結部材Ｇ３により互いに外れないように緊結されている。
【００１９】
この緊結部材Ｇ３は、主にボルトとナットからなり、これらが振動の伝達を低減するゴムブッシュを介して螺合することで上枠Ｇ１と下枠Ｇ２とが所定間隔以上に開かないように緊結する機能を有している。
【００２０】
次に、図２〜５を用いて本考案の実施の形態に係る防振具を詳細に説明する。
この防振具１は、防振架台Ｇの防振機能の中心を担うものであり、振動機器Ａの荷重を支えるとともに振動機器Ａから発生する振動を吸収するコイルスプリング２と、上枠Ｇ１に取り付けられて固定される上部材３と、下枠Ｇ２に取り付けられて固定される下部材４と、から主に構成され、複数の防振具１が、振動機器Ａの荷重などの外力から受ける応力が均等となるように、図示実施形態では上枠Ｇ１の四隅付近に計４箇所設置されている。
勿論、応力が均等となるように配置すれば、防振具１の設置個数や位置は図示形態に限られるものではない。
【００２１】
このコイルスプリング２は、鋼線などの金属線から螺旋状に成形された「つる巻きバネ」であり、上部材３と下部材４との間に上下方向に伸縮可能に設置・収容されている。
【００２２】
上部材３及び下部材４は、弾性体であるゴムなどの合成樹脂材料から金型を用いてインジェクション成形により鉛直断面がコの字状に成形された部材であり、取付穴３ａ，４ａをそれぞれ有し、これらの取付穴３ａ，４ａに挿入されたボルトにより上枠Ｇ１と下枠Ｇ２にそれぞれ螺着されることで防振具１が水平方向にずれないようにする機能を有している。
なお、この上部材３は、部材点数の削減及び取り付け作業の手間を省くため、後述の弾性体カバー５と一体に成形されている。
【００２３】
弾性体カバー５は、コイルスプリング２の外周を覆って、コイルスプリング２の紫外線や風雨などによる経年劣化を防ぐとともに、コイルスプリング２の金属線間に埃や小石などの異物が混入しないようにして、コイルスプリングの伸縮機能を維持・確保するために設けられているものであり、弾性体であるゴムなどの合成樹脂材料から上部材３と一体にインジェクション成形され、上部材３の下端から下方に連続する略円筒状のカバー本体部５０と、このカバー本体部５０の下端から下方に連続する変形部５１と、から構成されている。
【００２４】
カバー本体部５０は、上部が、外周が下方に行くに従って拡径するテーパ部５０ａとなっており、その下部が、そのテーパ部５０ａの下端から外周がそのままの径で鉛直に垂れ下がる直胴部５０ｂとなっている。
【００２５】
変形部５１は、カバー本体部５０の肉厚（厚み）より薄くカバー本体部５０の径より小さい略円筒状に成形されており、図５に示すように、カバー本体部５０の直胴部５０ｂの下端から斜め上方内側に一旦折り返されたうえ、そこから鉛直下向きに垂下する形状にカバー本体部５０と連続して一体成形されている。
また、変形部５１の下端部は、下部材４と係止可能となっている（図２，図５参照）。
【００２６】
以上のような弾性体カバー５とすることにより、従来の複数段に亘る凹凸を有するカバーと比べて、成形時に弾性体カバーを作製する金型の隙間調整や材料注入の管理が容易となり、金型を安価に製作することができるとともに、凹凸部分が少ない形状のため、埃や小石などの異物が積もったり挟まったりするおそれが少なくなる。
また、埃が積もらないため時間がたっても外観的にも美しく、かつ、異物が挟まることが少ないため、コイルスプリングの伸縮機能を長期に亘って維持することができて故障を少なくすることができる。
【００２７】
なお、図５の符号６は、金属製のコイルスプリング２が、合成樹脂材料からなる上部材３、下部材４と当接して局部的に磨耗・損傷しないように補強する座金である。
【００２８】
次に、図６を用いて防振具１の作用について説明する。
図６は、防振架台Ｇの上に振動機器Ａが設置され、その荷重が作用することで防振具１が圧縮された状態を示している。
前述のように、弾性体カバー５は、弾性体から成形されるとともに、肉厚で上部外側に位置するカバー本体部５０と、カバー本体部５０より厚みが薄く下部内側に位置する変形部５１と、から構成されているため、防振具１に圧縮力が加わると、剛性の違いにより、図に示すように、カバー本体部５０の下端が下部材４に接触するまでは変形部５１だけが図の矢印方向に弾性変形して行き、コイルスプリング２の上下伸縮に追随する。
【００２９】
また、このとき変形部５１の上端は、カバー本体部５０の直胴部５０ｂの下端から斜め上方内側に一旦折り返されてその後垂下する形状であるため、変形部５１の弾性変形による撓みは、上部材３及びカバー本体部５０の沈下に伴って、カバー本体部５０の直胴部５０ｂの内側に沿って上方（図示矢印方向）に膨らんで行くこととなり、撓み部分が外に突出してその突出部分に埃や小石などの異物が溜まるおそれがないだけでなく、撓んだ部分がコイルスプリング２に挟まったり、引っ掛かったりしてコイルスプリング２の伸縮動作に干渉することがない。このため、防振具１としてより故障が少なくなる。
【００３０】
なお、振動により防振具１が図示状態より更に圧縮される状態となっても同様であり、コイルスプリング２のバネ剛性とカバー本体部５０の高さを調整して、カバー本体部５０の下端が下部材４に接触しないよう設定することで、変形部５１の弾性変形のみで弾性体カバー５をコイルスプリング２の上下伸縮に追随可能とすることができるだけでなく、水平方向外側に突出することなく従来のような多数の凹凸があるカバーと同等の変位幅を達成することができる。
【００３１】
以上のように本考案の実施の形態に係る防振具、及びその防振具を備えた防振架台を説明したが、前記実施の形態は好ましい一例を示したに過ぎず、実用新案登録請求の範囲で適宜変更可能なことは云うまでもない。
特に、上枠や下枠、上部材や下部材の形状は、振動機器などの振動発生源や基礎に取り付け可能で、架台や防振具の水平方向の移動を拘束可能なものであれば、前記形状でなくても構わないし、上枠又は下枠の一方がなく、防振具が直接動発生源や基礎に取り付ける構成とすることも可能である。
【符号の説明】
【００３２】
１      防振具
２      コイルスプリング
３      上部材
４      下部材
５      弾性体カバー
５０    カバー本体部
５０ａ  テーパ部
５０ｂ  直胴部
５１    変形部
Ａ      振動機器（振動発生源）
Ｂ      基礎
Ｇ      防振架台
Ｇ１    上枠
Ｇ２    下枠
Ｇ３    緊結部材
【図１】
0003172074.tif 000003
【図２】
0003172074.tif 000004
【図３】
0003172074.tif 000005
【図４】
0003172074.tif 000006
【図５】
0003172074.tif 000007
【図６】
0003172074.tif 000008